(57)【要約】【課題】レンズ鏡筒の前面部における省スペース化を図るとともに、レンズバリアの安定した開閉を行う。【解決手段】レンズ鏡筒１２と、レンズ鏡筒１２の前面部より外方に臨まされた撮像レンズ１０の光軸と直交する方向に回動され、レンズ鏡筒１２の前面部の開閉を行うレンズバリア１３と、レンズバリア１３を回動付勢する第１の付勢部材３０と、レンズバリア１３と係合し撮像レンズ１０の光軸方向にスライドすることによりレンズバリア１３の回動を規制するスライダ３１と、スライダ３１をスライダ３１によってレンズバリア１３を第１の付勢部材３０の付勢方向と反対方向へ回動させる方向に第１の付勢部材３０の付勢力よりも大きい付勢力で付勢する第２の付勢部材３４と、スライダ３１のスライド方向の一端側より当接しスライダ３１を移動させる移動機構３３を備え、レンズバリア１３を回動操作する開閉機構１４とを有する。【選択図】図３
2004325519.tif 000002
【特許請求の範囲】
【請求項１】
レンズ鏡筒と、
上記レンズ鏡筒の前面部より外方に臨まされた撮像レンズの光軸と直交する方向に回動され、上記レンズ鏡筒の前面部の開閉を行い上記撮像レンズを保護するレンズバリアと、
上記レンズバリアを回動付勢する第１の付勢部材と、上記レンズバリアと係合し上記撮像レンズの光軸方向にスライドすることにより該レンズバリアの回動を規制するスライダと、上記スライダを該スライダによって上記レンズバリアを上記第１の付勢部材の付勢方向と反対方向へ回動させる方向に上記第１の付勢部材の付勢力よりも大きい付勢力で付勢する第２の付勢部材と、上記スライダのスライド方向の一端側より当接し該スライダを移動させる移動機構を備え、上記レンズバリアを回動操作する開閉機構とを有し、
上記移動機構は、上記スライダを上記第２の付勢部材の付勢方向と反対方向に移動させることにより上記レンズバリアを上記第１の付勢部材の付勢方向に回動させて上記レンズ鏡筒の前面部を開放又は閉塞し、上記第２の付勢部材の付勢方向に移動することにより上記第２の付勢部材の付勢力によって上記スライダを上記レンズバリアを上記第１の付勢部材の付勢方向と反対方向へ回動させて、上記レンズ鏡筒の前面部を閉塞又は開放するレンズバリア機構。
【請求項２】
上記第１の付勢部材は、上記レンズバリアを上記レンズ鏡筒の前面部を閉塞する方向に回動付勢し、上記第２の付勢部材は、上記スライダを上記レンズ鏡筒の前面部側に付勢することを特徴とする請求項１記載のレンズバリア機構。
【請求項３】
上記スライダは、上記レンズ鏡筒の開閉と連動して、該レンズバリア機構を備える撮像部の電源のオン又はオフを行うことを特徴とする請求項１記載のレンズバリア機構。
【請求項４】
上記移動機構は、回転型モータと、上記スライダと係合する係合部材とを備え、
上記係合部材は、上記回転型モータに駆動されることにより、上記スライダーを上記撮像レンズの光軸方向に移動させることを特徴とする請求項１記載のレンズバリア機構。
【請求項５】
レンズ鏡筒と、
上記レンズ鏡筒の前面部より外方に臨まされた撮像レンズの光軸と直交する方向に回動され、上記レンズ鏡筒の前面部の開閉を行い上記撮像レンズを保護するレンズバリアと、
上記レンズバリアを回動付勢する第１の付勢部材と、上記レンズバリアと係合し上記撮像レンズの光軸方向にスライドすることにより該レンズバリアの回動を規制するスライダと、上記スライダを該スライダによって上記レンズバリアを上記第１の付勢部材の付勢方向と反対方向へ回動させる方向に上記第１の付勢部材の付勢力よりも大きい付勢力で付勢する第２の付勢部材と、上記スライダのスライド方向の一端側より当接し該スライダを移動させる移動機構を備え、上記レンズバリアを回動操作する開閉機構とを有し、
上記移動機構は、上記スライダを上記第２の付勢部材の付勢方向と反対方向に移動させることにより上記レンズバリアを上記第１の付勢部材の付勢方向に回動させて上記レンズ鏡筒の前面部を開放又は閉塞し、上記第２の付勢部材の付勢方向に移動することにより上記第２の付勢部材の付勢力によって上記スライダを上記レンズバリアを上記第１の付勢部材の付勢方向と反対方向へ回動させて、上記レンズ鏡筒の前面部を閉塞又は開放する撮像装置。
【請求項６】
上記第１の付勢部材は、上記レンズバリアを上記レンズ鏡筒の前面部を閉塞する方向に回動付勢し、上記第２の付勢部材は、上記スライダを上記レンズ鏡筒の前面部側に付勢することを特徴とする請求項５記載の撮像装置。
【請求項７】
上記スライダは、上記レンズ鏡筒の開閉と連動して、該レンズバリア機構を備える撮像部の電源のオン又はオフを行うことを特徴とする請求項５記載の撮像装置。
【請求項８】
上記移動機構は、回転型モータと、上記スライダと係合する係合部材とを備え、
上記係合部材は、上記回転型モータに駆動されることにより、上記スライダーを上記撮像レンズの光軸方向に移動させることを特徴とする請求項５記載の撮像装置。
【発明の詳細な説明】
【０００１】
【発明の属する技術分野】
本発明は、撮像装置に関し、特に撮像装置のレンズを保護するレンズバリアに関する。
【０００２】
【従来の技術】
従来より、不使用時におけるレンズ表面の汚損を防止するレンズバリアを備えた撮像装置がある。この種の撮像装置１００は、図８に示すように、略矩形状の筐体からなる装置本体１０１を備え、装置本体１０１内に撮像レンズが組み込まれた略円筒形状のレンズ鏡筒１０２と、撮像レンズを保護し汚損を防止するレンズバリア１０３とが設けられている。
【０００３】
レンズ鏡筒１０２は、前面１０２ａ側に一又は複数の撮像レンズ１０５が取り付けられるとともに、背面１０２ｂ側には撮像レンズ１０５を透過して入射された光を受けるＣＣＤ等の撮像素子１０６が配設されている。この撮像レンズ１０５は、レンズ鏡筒１０２の前面１０２ａ側に形成されており、装置本体１０１の前面部１０１ａに形成された図示しない開口部から外方へ臨まされている。
【０００４】
この撮像レンズ１０５を保護するレンズバリア１０３は、撮像レンズ１０５よりもやや大きい面積を有する板状体からなる。このレンズバリア１０３は、装置本体１０１内に支持されることにより、装置本体１０１の前面部１０１ａを長手方向にスライド可能とされている。また、レンズバリア１０３は、開閉操作用の突部が形成され、この突部が装置本体１０１外へ突出している。従って、レンズバリア１０３は、ユーザが突部を操作することにより装置本体１０１の前面部１０１ａを長手方向にスライドし、撮像レンズ１０５の全面を覆う閉塞位置と撮像レンズ１０５の全面を開放する開放位置とにわたって移動される。
【０００５】
そして、撮像装置１００は、撮影の際にはレンズバリア１０３の突部を操作して、撮像レンズ１０５の全面を開放する開放位置までレンズバリア１０３をスライドさせた後、撮影に移る。撮影終了後は、レンズバリア１０３を、撮像レンズ１０５の全面を覆う閉塞位置までスライドさせ、撮像レンズ１０５が塵埃等により汚損されることを防止する。
【０００６】
また、平板状のレンズバリアを用いることによる装置本体の大型化を回避すべく、図９に示すように、レンズバリア１１０を半円形の上下バリア部１１０ａ，１１０ｂに二分割するとともに、上下バリア部１１０ａ，１１０ｂを各々軸支部１１１ａ，１１１ａで上下方向に回動可能に支持するレンズバリア機構１２０がある。このレンズバリア機構１２０においては、軸支部１１１ａ，１１１ｂと当接する図示しない回動リングを回動させることにより、軸支部１１１ａ，１１１ｂを上下方向に回動操作し、上下バリア部１１０ａ，１１０ｂを図９中矢印ｒ又はｒ’方向にスライドさせ、レンズ鏡筒の開閉を行う。
【０００７】
【特許文献１】
特開平１０−１４８８７１号公報
【特許文献２】
特開２００２−２５８１３３号公報
【０００８】
【発明が解決しようとする課題】
上述した撮像装置１００においては、レンズバリア１０３を装置本体１０１の前面部１０１ａに配設され、長手方向にスライド可能とされている。このため、装置本体１０１には、前面部１０１ａの長手方向にわたってレンズバリア１０３の移動スペースを確保する必要があり、装置本体１０１の小型化を図ることが困難であった。
【０００９】
また、レンズバリア機構１２０においては、機構が複雑化し、レンズバリア１０３の操作の安定性、信頼性に欠ける。また、機構が複雑化するために、レンズバリア開閉時に振動等の外乱が発生した場合、レンズバリア機構１１２を構成する部材が破損するおそれがある。さらに、上下バリア部１１０ａ，１１０ｂの閉塞時にユーザの指やその他の異物が挟まれた場合、駆動部に過剰な負荷がかかり、機構の耐久性が損なわれる。
【００１０】
そこで、本発明は、レンズ鏡筒の前面部における省スペース化を図るとともに、レンズバリアの安定した開閉を行うことができるレンズバリア及びこれを用いた撮像装置を提供することを目的とする。
【００１１】
【課題を解決するための手段】
上述した課題を解決するために、本発明に係るレンズバリア機構は、レンズ鏡筒と、上記レンズ鏡筒の前面部より外方に臨まされた撮像レンズの光軸と直交する方向に回動され、上記レンズ鏡筒の前面部の開閉を行い上記撮像レンズを保護するレンズバリアと、上記レンズバリアを回動付勢する第１の付勢部材と、上記レンズバリアと係合し上記撮像レンズの光軸方向にスライドすることにより該レンズバリアの回動を規制するスライダと、上記スライダを該スライダによって上記レンズバリアを上記第１の付勢部材の付勢方向と反対方向へ回動させる方向に上記第１の付勢部材の付勢力よりも大きい付勢力で付勢する第２の付勢部材と、上記スライダのスライド方向の一端側より当接し該スライダを移動させる移動機構を備え、上記レンズバリアを回動操作する開閉機構とを有し、上記移動機構は、上記スライダを上記第２の付勢部材の付勢方向と反対方向に移動させることにより上記レンズバリアを上記第１の付勢部材の付勢方向に回動させて上記レンズ鏡筒の前面部を開放又は閉塞し、上記第２の付勢部材の付勢方向に移動することにより上記第２の付勢部材の付勢力によって上記スライダを上記レンズバリアを上記第１の付勢部材の付勢方向と反対方向へ回動させて、上記レンズ鏡筒の前面部を閉塞又は開放する。
【００１２】
また、本発明に係る撮像装置は、レンズ鏡筒と、上記レンズ鏡筒の前面部より外方に臨まされた撮像レンズの光軸と直交する方向に回動され、上記レンズ鏡筒の前面部の開閉を行い上記撮像レンズを保護するレンズバリアと、上記レンズバリアを回動付勢する第１の付勢部材と、上記レンズバリアと係合し上記撮像レンズの光軸方向にスライドすることにより該レンズバリアの回動を規制するスライダと、上記スライダを該スライダによって上記レンズバリアを上記第１の付勢部材の付勢方向と反対方向へ回動させる方向に上記第１の付勢部材の付勢力よりも大きい付勢力で付勢する第２の付勢部材と、上記スライダのスライド方向の一端側より当接し該スライダを移動させる移動機構を備え、上記レンズバリアを回動操作する開閉機構とを有し、上記移動機構は、上記スライダを上記第２の付勢部材の付勢方向と反対方向に移動させることにより上記レンズバリアを上記第１の付勢部材の付勢方向に回動させて上記レンズ鏡筒の前面部を開放又は閉塞し、上記第２の付勢部材の付勢方向に移動することにより上記第２の付勢部材の付勢力によって上記スライダを上記レンズバリアを上記第１の付勢部材の付勢方向と反対方向へ回動させて、上記レンズ鏡筒の前面部を閉塞又は開放する。
【００１３】
【発明の実施の形態】
以下、本発明が適用されたレンズバリア機構及びこれを用いた撮像装置について、図面を用いて詳細に説明する。本発明が適用されたレンズバリア機構を用いた撮像装置１は、図１に示すように、略矩形状の筐体からなる装置本体２を有し、装置本体２は、駆動回路等を備え操作部が形成された本体部３と、撮像レンズが配設されたレンズ鏡体４と、レンズ鏡体４による映像を表示する液晶表示部５からなる。
【００１４】
撮像装置１は、図２に示すように、レンズ鏡体４が本体部３と着脱自在に形成されており、レンズ鏡体４を倍率や焦点距離の異なる他のレンズ系に交換可能とし、レンズ鏡体の載せ変え進化が可能とされている。また、撮像装置１は、液晶表示部５を本体部３より回動させ、液晶画面を操作者側に向けることができる。従って、本体部３を把持する操作者は、レンズ鏡体４に写る画像を容易に確認しながら撮影し、また、撮影した画像を再生することができる。
【００１５】
この撮像装置１のレンズ鏡体４は、図３及び図４に示すように、略矩形の直方体からなる筐体９を有し、筐体９内に、撮像レンズ１０及びＣＣＤ等の撮像素子１１が設けられたレンズ鏡筒１２と、図３に示す撮像レンズ１０の上面から図４に示す撮像レンズ１０の前面に亘って回動し撮像レンズ１０を保護するレンズバリア１３と、レンズバリア１３の開閉を行う開閉機構１４とを備える。
【００１６】
なお、図３（Ａ）及び図４（Ａ）はレンズ筐体４の内部を側面から示し、図３（Ｂ）及び図４（Ｂ）は、レンズ鏡筒１２の内部を下面から示す図である。
【００１７】
筐体９は、図３及び図４に示すように、前面部９ａに撮像レンズ１０を外方に臨ませる開口部１５が形成されている。また筐体９は、図１及び図２に示すように、上面部９ｃには音声マイク１７が設けられている。
【００１８】
撮像レンズ１０及び撮像素子１１を保持するレンズ鏡筒１２は、図５及び図６に示すように、前面部１２ａに撮像レンズ１０を保持するレンズホルダ２０が設けられ、背面部１２ｂにＣＣＤ等の撮像素子１１が収納される撮像素子収納部２１が形成されている。また、レンズ鏡筒１２は、側面部１２ｃに撮像レンズ１０の前面側を上下方向に回動することにより撮像レンズ１０を保護するレンズバリア１３が取り付けられ、底面部１２ｄにレンズバリアの回動を規制してレンズバリア１３の開閉を行う開閉機構１４が形成されている。
【００１９】
レンズホルダ２０には、１又は複数の撮像レンズ１０が保持されている。また、撮像レンズ１０は、詳細を省略するフォカーシング機構により、光軸方向に沿って移動可能に保持されている。そして、撮像レンズ１０は、本体部３に設けられた制御部からの制御信号を受けたフォーカシング機構によって焦点制御される。
【００２０】
また、撮像素子収納部２１に収納されたＣＣＤ素子等の撮像素子１１は、撮像レンズ１０に入射された画像を光電変換することにより画像信号を生成し、この画像信号を本体部３に形成された信号処理回路に出力する。
【００２１】
レンズ鏡筒１２の側面部１２ｃに回動可能に取り付けられたレンズバリア１３は、撮像レンズ１０を保護する略矩形状のバリア部２５と、バリア部２５の両側面部より延設される一対の回動アーム２６，２６と、回動アーム２６，２６を回動可能に支持する回動支持部２７，２７とを有する。
【００２２】
バリア部２５は、略矩形板状に形成されるとともに、回動方向に沿ってやや円弧状に湾曲して形成されている。また、バリア部２５は、撮像レンズ１０の全面を覆うに十分な大きさで形成されている。そして、バリア部２５は、回動アーム２６，２６と連接されることにより、回動アーム２６，２６の回動に伴って、撮像レンズ１０の前面から上面に亘って円弧状に回動される。
【００２３】
一対の回動アーム２６，２６は、先端部２６ａにおいてバリア部２５と連続されるとともに、基端部２６ｂにおいて回動支持部２７，２７によって回動可能にレンズ鏡筒１２の側面部に取り付けられている。そして、回動アーム２６，２６は、この回動支持部２７，２７に支持されることにより、撮像レンズ１０の光軸方向と略直交し、レンズ鏡体４の開口部１５を閉塞する図５及び図６中矢印Ｄ方向及び開口部１５を開放し撮像レンズ１０を外方に臨ませる図５及び図６中反矢印Ｄ方向に回動自在とされている。
【００２４】
回動アーム２６を支持する回動支持部２７の一方には、捻りコイルバネ３０が巻回されている。この捻りコイルバネ３０は、一端を回動アーム２６に係止され、他端をレンズ鏡筒１２に係止されることにより、回動アーム２６，２６を常時、バリア部２５が撮像レンズ１０を閉塞する図５及び図６中矢印Ｄ方向に付勢している。また、回動アーム２６，２６は、基端部２６ｂ側に、後述する開閉機構１４のスライドカムと当接される当接部２８が形成されている。回動アーム２６，２６は、当接部２８がスライドカムに押圧されることにより、図５及び図６中反矢印Ｄ方向に回動される。
【００２５】
なお、レンズ鏡筒１２の側面部１２ｃには、回動アーム２６，２６の回動領域を規制する上下ストッパー壁２２，２３が形成されており、回動アーム２６，２６は、これら上下ストッパー壁２２，２３間に亘って回動される。
【００２６】
このようなレンズバリア１３は、レンズ鏡筒１２の両側面部に設けられ、撮像レンズ１０の光軸方向と直交する方向を回動軸とする回動支持部２７に回動自在に支持されることにより、撮像レンズ１０の光軸と略直交する図５及び図６中矢印Ｄ方向又は反矢印Ｄ方向に回動可能とされる。そして、レンズバリア１３は、常時撮像レンズ１０を閉塞する図４及び図５中矢印Ｄ方向に付勢する捻りコイルバネ３０によって撮像レンズ１０の前面に位置され、撮像レンズ１０が汚損されることを防止する。そして撮影する際は、捻りコイルバネ３０の付勢力に対抗して、回動アーム２６，２６が後述する開閉機構１４のスライドカムに押圧されることにより、図５及び図６中反矢印Ｄ方向に回動され、バリア部２５が撮像レンズ１０の前面から上面に亘って回動され撮像レンズ１０を開放させる。
【００２７】
この回動アーム２６，２６の回動を規制することによりレンズバリア１３の開閉を行う開閉機構１４は、レンズ鏡筒１２の底面部１２ｄに形成されている。この開閉機構１４は、回動アーム２６，２６を押圧するスライドカム３１と、撮像レンズ１０の光軸方向と平行に配設されスライドカム３１の移動をガイドする一対のガイド軸３２，３２と、スライドカム３１をガイド軸３２，３２の一端側及び他端側に亘って移動させる移動機構３３と、スライドカム３１を付勢する捻りコイルバネ３４等の付勢部材を有する。
【００２８】
スライドカム３１は、図５及び図６に示すように、略矩形板状のカム本体３５と、カム本体３５と連続され上述した回動アーム２６の当接部２８を押圧する押圧部３６と、カム本体３５と連続され、後述する移動機構３３と係合する係合部３７とを有する。カム本体３５は、前面から背面にかけて一対のガイド軸３２，３２が挿通される一対の挿通孔３８，３８が穿設されている。カム本体３５は、撮像レンズ１０の光軸方向と平行に配設されたガイド軸３２，３２にガイドされることにより、撮像レンズ１０の光軸方向と平行である図５及び図６中矢印Ｅ方向及び反矢印Ｅ方向に移動自在とされている。
【００２９】
このカム本体３５の一側面部からは、回動アーム２６，２６の当接部２８を押圧する押圧部３６が延設されている。押圧部３６は、回動アーム２６，２６の当接部２８にレンズ鏡筒１２の背面部１２ｂ側より当接し、カム本体３５の移動に応じて、回動アーム２６，２６の当接部２８を図５及び図６中矢印Ｅ方向に押圧する。
【００３０】
カム本体３５の押圧部３６が形成された側面と反対側の他側面部には、移動機構３３と係合する係合部３７が形成されている。この係合部３７は、移動機構３３の係合片４１の係合凸部４１ａがレンズ鏡筒１２の前面部１２ａ側から当接されている。スライドカム３１は、係合片４１が図４中反矢印Ｅ方向に移動されることにより、係合凸部４１ａに係合部３７が押圧され、レンズ鏡筒１２の背面部１２ｂ側へ移動される。
【００３１】
また、カム本体３５には捻りコイルバネ３４が係止されている。捻りコイルバネ３４は、レンズ鏡筒１２の底面部１２ｄに巻回されるとともに、他端側をレンズ鏡筒１２に係止されることにより、カム本体３５を、常時、図３中矢印Ｅ方向に付勢し、レンズ鏡筒１２の前面部１２ａ側に移動させる。ここで、カム本体３５は、係合部３７に移動機構３３の係合片４１が前面部１２ａ側から当接されているため、この係合片４１により前面部１２ａ側への移動が規制されている。そしてカム本体３５は、係合片４１の移動に応じて図３中矢印Ｅ方向又は反矢印Ｅ方向へ移動される。即ち、カム本体３５は、係合片４１が背面部１２ｂ側に移動されると、係合部３７が押圧され、背面部１２ｂ側に移動する。また、カム本体３５は、係合片４１が前面部１２ａ側に移動されると、捻りコイルバネ３４に付勢され、前面部１２ａ側に移動する。
【００３２】
係合片４１を移動させることによりスライドカム３１を移動する移動機構３３は、図７に示すように、スライドカム３１と係合し、スライドカム３１をレンズ鏡筒１２の前面部１２ａから背面部１２ｂに亘って移動させる係合片４１と、係合片４１を移動させるギヤ部４３と、ギヤ部４３を駆動する駆動モータ４４と、係合片４１を摺動自在に支持するハウジング４５とを有する。
【００３３】
係合片４１は、略鉤状に形成され、スライドカム３１の係合部３７に当接する係合凸部４１ａ有する。また、係合片４１は、長手方向に亘ってスライド溝４６が形成されている。係合片４１は、このスライド溝４６をハウジング４５のスライド壁４５ａに係合させて支持されることにより、スライド壁４５ａを摺動される。このとき、図３（Ｂ）及び図４（Ｂ）に示すように、係合片４１は、係合凸部４１ａがハウジング４５より突出され、スライドカム３１の係合部３７に係止される。また、係合片４１は、側面部にギヤ部４３と噛み合う歯が形成されるラック部４７が形成されている。
【００３４】
このラック部４７と噛み合うことにより係合片４１を直線移動させるギヤ部４３は、複数の歯車列からなり、駆動モータ４４より突出されている回転軸４４ａの回転溝と係合し、駆動モータ４４の回転運動の出力を減速しながらを係合片４１の直線運動に変換する。
【００３５】
駆動モータ４４は、ＤＣモータが用いられ、回転軸４４ａを回転駆動することにより、回転軸４４ａに噛み合わされているギヤ部４３を介して係合片４１を移動させる。このように撮像装置１は、プランジャ等を用いることなくスライドカム３１をスライドさせているため、移動機構３３の構成の簡略化、小型化を図ることができる。なお、撮像装置１は、プランジャを用いて係合片４１を移動させることもできる。
【００３６】
移動機構３３は、これら係合片４１、ギヤ部４３及び駆動モータ４４が配設されたハウジング４５がレンズ鏡筒１２の一側面部１２ｃに取り付けられる。このとき、ハウジング４５より突出する係合片４１の係合凸部４１ａは、スライドカム３１の係合部３７とレンズ鏡筒１２の前面部１２ａ側から係合する。
【００３７】
このような開閉機構１４は、撮像装置１の本体部３やレンズ鏡体４に形成された操作部のレンズ開閉釦を操作されることにより、移動機構３３の駆動モータ４４が駆動され、ギヤ部４３を介して係合片４１がハウジング４５のスライド壁４５ａに沿って、レンズ鏡筒１２の前面部１２ａ側と背面部１２ｄ側との間を移動される。
【００３８】
係合片４１が背面部１２ｂ側から前面部１２ａ側へ移動されると、係合片４１の係合凸部４１ａが前面部１２ａ側から係合部３７に当接されているスライドカム３１は、係合片４１の移動量に応じて、捻りコイルバネ３４の付勢力によってレンズ鏡筒１２の前面部１２ａ側である図３中矢印Ｅ方向に移動する。
【００３９】
また、係合片４１が前面部１２ａ側から背面部１２ｄ側へ移動されると、係合片４１の係合凸部４１ａによってスライドカム３１の係合部３７が図４中反矢印Ｅ方向に押圧される。従って、スライドカム３１は、係合片４１の移動量に応じて捻りコイルバネ３４の付勢力に対抗して図４中反矢印Ｅ方向に移動される。
【００４０】
なお、スライドカム３１が前面部１２ａ側又は背面部１２ｂ側に移動されると、レンズ鏡筒１２の底面部１２ｄに設けられたセンサ基板の反射式フォトインタラプタによって、スライドカム３１から反射される光の有無を検出することにより、カム本体３５の位置検出が行われ、駆動モータ４４の駆動が停止される。
【００４１】
また、レンズ鏡筒１２の前面部１２ａ側には、スライドカム３１のカム本体３５と対向して、レンズ鏡体４を備える撮像部の電源スイッチ４０が設けられている。電源スイッチ４０は、レンズ鏡筒１２の前面部１２ａ側にスライドされたスライドカム３１のカム本体３５と当設することにより、撮像部の電源を入れる。また、電源スイッチ４０は、スライドカム３１がレンズ鏡筒１２の背面部１２ｂ側にスライドされ、カム本体３５と離間すると、撮像部の主電源を切る。
【００４２】
以上のような構成を有する本撮像装置１は、使用前においては、図４及び図６に示すように、移動機構３３によって係合片４１がレンズ鏡筒１２の背面部１２ｂ側に移動され、スライドカム３１がレンズ鏡筒１２の背面部１２ｂ側に保持されている。従って、レンズバリア１３は、回動アーム２６，２６が捻りコイルバネ３０の付勢力により矢印Ｄ方向に回動されてレンズ鏡体４の開口部を閉塞し、撮像レンズ１０を保護している。
【００４３】
そして、撮影時においては、操作者によって本体部３等に形成された操作部のレンズ開閉釦を操作されると、移動機構３３の駆動モータ４４が駆動され、ギヤ部４３を介して係合片４１がハウジング４５のスライド壁４５ａに沿って、レンズ鏡筒１２の背面部１２ｄから前面部１２ａ側に向かう図３及び図５中矢印Ｅ方向に移動される。
【００４４】
係合片４１が矢印Ｅ方向に移動されることにより、係合片４１の係合凸部４１ａに係合部３７が係合されているスライドカム３１は、捻りコイルバネ３４の付勢力によって図３及び図５中矢印Ｅ方向にスライドする。
【００４５】
これにより、レンズバリア１３は、当接部２８がカム本体３５の押圧部３６により図３及び図５中矢印Ｅ方向に押圧され、回動アーム２６，２６が捻りコイルバネ３０の付勢力に対抗して図５中反矢印Ｄ方向に回動される。回動アーム２６，２６が反矢印Ｄ方向に回動されることにより、レンズバリア１３のバリア部２５は上方へ回動され撮像レンズ１０を開放し、撮影可能とする。
【００４６】
ここで、スライドカム３１を図３中矢印Ｅ方向に付勢する捻りコイルバネ３４の付勢力は、回動アーム２６，２６を図３中矢印Ｄ方向に付勢する捻りコイルバネ３０の付勢力よりも大きく形成されている。従って、スライドカム３１は、捻りコイルバネ３０の付勢力に対抗してレンズ鏡筒１２の前面部１２ａ側に回動、保持されるため、レンズバリア１３が撮像レンズ１０を開放する状態を維持する。
【００４７】
また、スライドカム３１は、カム本体３５がレンズ鏡筒１２の前面部１２ａ側に保持されることにより、電源スイッチ４０と当接される。これにより、レンズ鏡体４を備える撮像部の主電源が入り、撮影準備が整う。
【００４８】
このように、本撮像装置１によれば、移動機構３３でスライドカム３１をスライド操作させることにより、撮像レンズ１０の汚損を防止するレンズバリア１３を、撮像レンズ１０の光軸と略直交する上方に回動させ、撮像レンズ１０を開放するとともに、このレンズバリア１３の回動と連動して撮像部の主電源を入れることができる。従って、本撮像装置１は、レンズ鏡筒１２の前面部１２ａにレンズバリア１３の回動スペースを大きく設ける必要がなく、装置本体２の小型化を図ることができる。また、本撮像装置１は、レンズバリア１３の回動と連動して撮像部の主電源を投入することができ、撮影の準備に要する操作の簡略化及び部品点数の削減を図ることができる。
【００４９】
撮影が終了すると、操作者によって本体部３等に形成された操作部のレンズ開閉釦を操作されると、移動機構３３の駆動モータ４４が駆動され、ギヤ部４３を介して係合片４１がハウジング４５のスライド壁４５ａに沿って、レンズ鏡筒１２の前面部１２ａから背面部１２ｄ側に向かう図４及び図６中反矢印Ｅ方向に移動される。
【００５０】
係合片４１が反矢印Ｅ方向に移動されることにより、係合片４１の係合凸部４１ａに係合されているスライドカム３１は、係合部３７が係合凸部４１ａに押圧され、捻りコイルバネ３４の付勢力に対向して図４中反矢印Ｅ方向にスライドされる。
【００５１】
これにより、レンズバリア１３は、カム本体３５の押圧部３６から回動アーム２６の当接部２８にかかる付勢力が解かれるとと同時に、捻りコイルバネ３０の付勢力により回動アーム２６が図４及び図６中矢印Ｄ方向に回動される。回動アーム２６が矢印Ｄ方向に回動されることにより、レンズバリア１３のバリア部２５は、レンズ鏡体４の開口部１５を閉塞し、撮像レンズ１０を汚損等から保護する。
【００５２】
また、スライドカム３１がレンズ鏡筒１２の背面部１２ｂ側にスライドされ、カム本体３５が背面部１２ｂ側に保持されると、撮像装置１は、カム本体３５と電源スイッチ４０との当接が解かれることにより、撮像部の主電源が切られる。
【００５３】
このように、本撮像装置１によれば、移動機構３３でスライドカム３１をスライド操作させることにより、レンズバリア１３を撮像レンズ１０の光軸方向と略直交する下方に回動させ、撮像レンズ１０を汚損から保護するとともに、このレンズバリア１３の回動と連動して撮像部の主電源を切ることができる。従って、本撮像装置１は、レンズ鏡筒１２の前面部１２ａにレンズバリア１３の回動スペースを大きく形成する必要がなく、装置の小型化を図ることができる。また、撮像装置１は、レンズバリア１３の回動操作と連動して撮像部の主電源を切ることができ、撮影が終了した後の操作の簡略化及び部品点数の削減を図ることができる。
【００５４】
また、本撮像装置１は、レンズバリア１３を回動させる付勢力の異なる２つの捻りコイルバネ３０，３４によって開閉動作を行うものであるため、レンズバリア１３の閉塞時にユーザの指やその他の異物が挟まれた場合でも、移動機構３３等に過剰な負荷がかかることなく、レンズバリアの耐久性を損なうこともない。
【００５５】
なお、上記撮像装置１においては、レンズバリア１３は、回動アーム２６，２６が捻りコイルバネ３０によって図５及び図６中矢印Ｄ方向に回動付勢されていたが、回動アーム２６，２６の回動付勢方向は逆にしてもよい。この場合、回動アーム２６，２６は、捻りコイルバネ３０によって図５及び図６中反矢印Ｄ方向に回動付勢されるとともに、レンズバリア１３の当接部２８はレンズ鏡筒１２の前面部１２ａ側よりスライドカム３１の押圧部３６が当接するように形成される。
【００５６】
これにより、レンズバリア１３は、スライドカム３１がレンズ鏡筒１２の背面部１２ｂ側にスライドされている場合は、捻りコイルバネ３０の付勢力に対抗してスライドカム３１の押圧部３６に押圧され、撮像レンズ１０を閉塞する図６中矢印Ｄ方向に回動される。また、レンズバリア１３は、スライドカム３１がレンズ鏡筒１２の前面部１２ａ側にスライドされると、スライドカム３１の押圧部３６による付勢力が解かれ、捻りコイルバネ３０の付勢力により、撮像レンズ１０を開放する図５中反矢印Ｄ方向に回動される。
【００５７】
以上、本発明が適用された撮像装置について説明したが、本発明は、レンズ鏡体を本体部より取り外し可能に形成するとともに、レンズ鏡体単体で撮像可能に形成するようにしてもよい。これにより、本発明が適用された撮像装置は、本体部に装着したままでは撮影しづらい箇所にもレンズ鏡体を向けることができ、撮影の自由度を高めることができる。
【００５８】
【発明の効果】
以上、詳細に説明したように、本発明に係るレンズバリア及び撮像装置によれば、スライドカムをスライド操作させることによって、撮像レンズの汚損を防止するレンズバリアを、撮像レンズの光軸方向と略直交する方向に回動させ、撮像レンズを外方に臨ませるレンズ鏡体４の開閉を行う。従って、本撮像装置は、レンズ鏡筒の前面部にレンズバリアの回動スペースを大きく設ける必要がなく、装置の小型化を図ることができる。
【００５９】
また、本発明に係るレンズバリア及び撮像装置は、レンズバリアを回動させる付勢力の異なる２つの付勢部材によって開閉動作を行うものであるため、レンズバリアの閉塞時にユーザの指やその他の異物が挟まれた場合でも、移動機構等に過剰な負荷がかかることなく、開閉機構の耐久性を損なうこともない。
【図面の簡単な説明】
【図１】本発明が適用された撮像装置を示す斜視図である。
【図２】レンズ鏡体が分離された撮像装置を示す斜視図である。
【図３】レンズバリアにより撮像レンズが開放されているレンズ鏡筒を示す側面図及び底面図である。
【図４】レンズバリアにより撮像レンズが閉塞されているレンズ鏡筒を示す側面図及び底面図である。
【図５】レンズバリアにより撮像レンズが開放されたレンズ鏡筒を示す斜視図である。
【図６】レンズバリアにより撮像レンズが閉塞されたレンズ鏡筒を示す斜視図である。
【図７】レンズ鏡筒及び移動機構を示す分解斜視図である。
【図８】従来のレンズバリアを示す斜視図である。
【図９】従来の他のレンズバリアを示す斜視図である。
【符号の説明】
１  撮像装置、２  装置本体、３  本体部、４  レンズ鏡体、９  筐体、１０  撮像レンズ、１１  撮像素子、１２  レンズ鏡筒、１３  レンズバリア、１４  開閉機構、１５  開口部、２２  上ストッパー部、２３  下ストッパー部、２５バリア部、２６  回動アーム、２７  回動支持部、２８  当接部、３０  捻りコイルバネ、３１  スライドカム、３２  ガイド軸、３３  移動機構、３４  捻りコイルバネ、３５  カム本体、３６  押圧部、３７  係合部、３８  挿通孔、４０  係合片、４３  ギヤ部、４４  駆動モータ、４５  ハウジング、４６  スライド溝、４７  ラック部
【図１】
2004325519.tif 000003
【図２】
2004325519.tif 000004
【図３】
2004325519.tif 000005
【図４】
2004325519.tif 000006
【図５】
2004325519.tif 000007
【図６】
2004325519.tif 000008
【図７】
2004325519.tif 000009
【図８】
2004325519.tif 000010
【図９】
2004325519.tif 000011